(57)【特許請求の範囲】
【請求項１】
使用者の手首に装着するためのリストバンドを備えたリスト装置において、
装置本体ケースと、
この装置本体ケースの側部を囲むように設けられた外ケースと、
前記装置本体ケースと前記外ケースとの間に介設され、外部からの衝撃を緩衝する第１の緩衝部材と、
前記外ケースの側部に取付けられ、外部からの衝撃を緩衝する第２の緩衝部材と、
前記装置本体ケースに設けられた、時刻を指示または表示する時計部とを備え、
前記外ケース、前記第１の緩衝部材および前記第２の緩衝部材のうちの少なくとも一つは、前記装置本体ケースの上部縁部を被っており、
前記第２の緩衝部材は、前記装置本体ケース、前記第１の緩衝部材および前記外ケースを下方から支持する弾性支持部を有することを特徴とするリスト装置。
【請求項２】
使用者の手首に装着するためのリストバンドを備えたリスト装置において、
装置本体ケースと、
この装置本体ケースの側部を囲むように設けられた外ケースと、
前記装置本体ケースと前記外ケースとの間に介設され、外部からの衝撃を緩衝する第１の緩衝部材と、
前記装置本体ケースが外部衝撃を受けた際に、その外部衝撃を緩衝するために前記装置本体ケースと前記外ケースとをケース軸方向に相対的に移動可能に弾性支持する第２の緩衝部材と、
前記装置本体ケースに設けられた、時刻を指示または表示する時計部と、
を備えたことを特徴とするリスト装置。
【請求項３】
前記第２の緩衝部材は、前記リストバンドのうち、前記外ケースの側部に当接する当接部と前記装置本体ケースの裏面を下方から弾性支持する弾性支持部とを有することを特徴とする請求項２に記載のリスト装置。
【請求項４】
前記第２の緩衝部材は前記リストバンドのうち、前記外ケースの側部に当接する部位に設けられていることを特徴とする請求項１に記載のリスト装置。
【請求項５】
前記第２の緩衝部材は、前記外ケースに対して前記リストバンドを接続するための接続部材であることを特徴とする請求項１または２に記載のリスト装置。
【請求項６】
前記装置本体ケースの上部縁部は前記第１の緩衝部材によって被われていることを特徴とする請求項１〜５のいずれかに記載のリスト装置。
【請求項７】
前記装置本体ケースの上部縁部は前記外ケースによって被われていることを特徴とする請求項１〜５のいずれか記載のリスト装置。
【請求項８】
前記外ケースの側部は前記第２の緩衝部材によって被われていることを特徴とする請求項１〜５のいずれか記載のリスト装置。
【請求項９】
前記外ケースの側部から前記装置本体ケースの上部縁部にかけて前記第２の緩衝部材によって被われていることを特徴とする請求項８に記載のリスト装置。
【請求項１０】
前記第２の緩衝部材から前記装置本体ケースの裏面側に延びて当該装置本体ケースの裏面側を弾性的に支持する弾性支持部は、前記装置本体ケースにねじ止めされていることを特徴とする請求項１〜９のいずれか記載のリスト装置。
【発明の詳細な説明】
【技術分野】
【０００１】
この発明は、使用者の手首に装着されるリスト装置に関する。
【背景技術】
【０００２】
腕時計等のリスト装置において、電子モジュール等を内蔵する本体ケースの外側を金属等からなる外ケースで被ったものが知られている。従来、前記外ケースは、内部の本体ケースに対して、ビス等により直接固定する構造を採っていた。
【発明の概要】
【発明が解決しようとする課題】
【０００３】
しかしながら、上記のような外ケースと本体ケースとをビス等により直接固定した構造の場合、落下等により衝撃を受けた際、その衝撃が直接ビスや本体ケースに伝わり、本体ケースが金属製であればビスが折れたり、樹脂製であれば本体ケースにクラックが入るといった問題が生じていた。また、ビス止めは、組立作業が複雑になり、部品点数もその分多くなるので、なるべく少ない方が好ましい。
【０００４】
この発明は、上記実状に鑑みてなされたもので、耐衝撃構造を備え、また、従来と比較して組立作業が容易となるリスト装置を提供することを目的としている。
【課題を解決するための手段】
【０００５】
上記課題を解決するため、本発明の請求項１に記載の発明は、たとえば図４〜図１１に示すように、
使用者の手首に装着するためのリストバンドを備えたリスト装置（腕時計１０，３０，４０，５０，６０，７０，８０，９０）において、
装置本体ケース（時計ケース１３、９３）と、
この装置本体ケースの側部を囲むように設けられた外ケース（外ベゼル１５，５５，６５，７５，９５）と、
前記装置本体ケースと前記外ケースとの間に介設され、外部からの衝撃を緩衝する第１の緩衝部材（内ベゼル１４，６４，７４，９４）と、
前記外ケースの側部に取付けられ、外部からの衝撃を緩衝する第２の緩衝部材（時計バンド１２，５２，６２，７２、エンドピース３１，９２、先カンカバー４２）と、
前記装置本体ケースに設けられた、時刻を指示または表示する時計部（[００２７]参照）  とを備え、
前記外ケース、前記第１の緩衝部材および前記第２の緩衝部材のうちの少なくとも一つは、前記装置本体ケースの上部縁部を被っており、前記第２の緩衝部材は、前記装置本体ケース、前記第１の緩衝部材および前記外ケースを下方から支持する弾性支持部（リブ部１２ｃ、３１ｃ、４２ｃ、５２ｃ、６２ｃ、７２ｃ、９２ｃ）を有することを特徴とする。
【０００６】
請求項１に記載の発明によれば、外ケースと装置本体ケースとの間に第１の緩衝部材が介設されていることから、落下等により衝撃を受けても、第１の緩衝部材により衝撃が吸収・緩和されて、装置本体ケースに衝撃が伝わることを防止できる。
また、第２の緩衝部材の弾性支持部が装置本体ケースと第１の緩衝部材と外ケースを下方から支持していることから、下から加えられる衝撃についてはこの弾性支持部によって吸収・緩和されて、装置本体ケースが保護される。
さらに、外ケースと第１の緩衝部材と第２の緩衝部材のうちの少なくとも一つによって、装置本体ケースの上部縁部が被われ、かつ、第２の緩衝部材の弾性支持部によって装置本体ケースと第１の緩衝部材と外ケースが下方から支持されていることから、装置本体ケースは、第１の緩衝部材や外ケースに対してビス等により固定されなくても、上下方向に固定された状態となる。
したがって、装置本体ケース、第１の緩衝部材、外ケース、および第２の緩衝部材を組み付けるだけで、装置本体ケースが固定された状態で容易に組み立てることができる。
さらにまた、装置本体ケースに時刻を指示または表示する時計部が設けられているので、腕時計として使用することができる。
【０００７】
請求項１に記載のリスト装置における第２の緩衝部材は、たとえば、請求項４に記載の発明のように、前記リストバンド（時計バンド１２，５２，６２，７２）のうち、前記外ケースの側部に当接する部位に設けられていてもよい。
【０００８】
また、本発明の請求項２に記載の発明は、たとえば、図４〜図１１に示すように、
使用者の手首に装着するためのリストバンドを備えたリスト装置（腕時計１０，３０，４０，５０，６０，７０，８０，９０）において、
装置本体ケース（時計ケース１３，９３）と、この装置本体ケースの側部を囲むように設けられた外ケース（外ベゼル１５，５５，６５，７５，９５）と、
前記装置本体ケースと前記外ケースとの間に介設され、外部からの衝撃を緩衝する第１の緩衝部材（内ベゼル１４，６４，７４，９４）と、
前記装置本体ケースが外部衝撃を受けた際に、その外部衝撃を緩衝するために前記装置本体ケースと前記外ケースとをケース軸方向に相対的に移動可能に弾性支持する第２の緩衝部材（時計バンド１２，５２，６２，７２、エンドピース３１，９２、先カンカバー４２）と、
前記装置本体ケースに設けられた、時刻を指示または表示する時計部（[００２７]参照）と、
を備えたことを特徴とする。
【０００９】
請求項２に記載の発明によれば、装置本体ケースが外部衝撃を受けた際に、その外部衝撃を緩衝するために装置本体ケースと外ケースとを相対的に移動可能に弾性支持する第２の緩衝部材を備えているので、外ケースに対する装置本体ケースの連結をフローティング構造とすることができる。このため、装置本体ケースと外ケースとをねじ等で剛体的に連結した場合と異なり、装置本体ケースが外部衝撃を受けた際に、その装置本体ケースに対する外的衝撃を効果的に緩衝することができる。
さらに、装置本体ケースに時刻を指示または表示する時計部が設けられているので、腕時計として使用することができる。
【００１０】
請求項１または請求項２において、第１の緩衝部材および第２の緩衝部材は、ウレタンやゴム等の軟質材料からなる。さらに、装置本体ケースとは、リスト装置の動作を制御・駆動するモジュール等を内蔵するケースのことである。また、装置本体ケースは必ずしも１つの部材からなるものでなくてもよく、側部、蓋、および底等がそれぞれ別の部材であって、それらが組み立てられてなるものでもよい。
【００１１】
請求項２に記載のリスト装置において、前記第２の緩衝部材は、請求項３に記載の発明のように、前記リストバンドのうち、前記外ケースの側部に当接する当接部と前記装置本体ケースの裏面を下方から弾性支持する弾性支持部（リブ部１２ｃ、３１ｃ、４２ｃ、５２ｃ、６２ｃ、７２ｃ、９２ｃ）とを有するものであってもよい。
【００１２】
また、請求項１または２に記載の発明は、請求項５に記載の発明のように、第２の緩衝部材が、前記外ケースに対して前記リストバンドを接続するための接続部材（エンドピース３１，９２、先カンカバー４２）であってもよい。
【００１３】
請求項６に記載の発明は、請求項１〜５のいずれかに記載のリスト装置において、たとえば、図４〜図７、図１０、図１１に示すように、前記装置本体ケース（時計ケース１３，９３）の上部縁部は前記第１の緩衝部材（内ベゼル１４，９４）によって被われていることを特徴とする。
【００１４】
請求項６に記載の発明によれば、請求項１〜５のいずれかに記載の発明の効果に加えて、装置本体ケースの上部縁部が第１の緩衝部材によって被われていることから、上から加えられる衝撃については第１の緩衝部材によって吸収・緩和されて、装置本体ケースが保護され、より一層耐衝撃性が向上する。
【００１５】
請求項７に記載の発明は、請求項１〜５のいずれか記載のリスト装置において、たとえば、図９に示すように、前記装置本体ケース（時計ケース１３）の上部縁部は前記外ケース（外ベゼル７５）によって被われていることを特徴とする。
【００１６】
請求項７に記載の発明によれば、請求項１〜５のいずれかに記載の発明の効果に加えて、装置本体ケースの上部縁部は外ケースによって被われていることから、装置本体ケースの側部から上部縁部にかけて外ケースの材質で作られているように見えるので、外ケースが金属製であったり表面に金属膜が形成されているものであると、リスト装置に高級感を付与することができる。
【００１７】
請求項８に記載の発明は、請求項１〜５のいずれか記載のリスト装置において、たとえば図７に示すように、前記外ケース（外ベゼル５５）の側部は前記第２の緩衝部材（時計バンド５２）によって被われていることを特徴とする。
【００１８】
請求項８に記載の発明によれば、請求項１〜５に記載の発明の効果に加えて、第２の緩衝部材によって外ケースの側部が被われているので、側部からの衝撃は第２の緩衝部材によって緩衝され、耐衝撃性がより一層向上する。
【００１９】
請求項９に記載の発明は、請求項８に記載のリスト装置において、たとえば図８に示すように、前記外ケース（外ベゼル６５）の側部から前記装置本体ケース（時計ケース１３）の上部縁部にかけて前記第２の緩衝部材によって被われていることを特徴とする。
【００２０】
請求項９に記載の発明によれば、請求項８に記載の発明の効果に加えて、第２の衝撃部材によって外ケースの側部とさらに装置本体ケースの上部縁部まで被われているので、側方のみならず上方からの衝撃についても、第２の衝撃部材によって緩衝され、耐衝撃性がより一層向上する。
【００２１】
請求項１０に記載の発明は、請求項１〜９のいずれか記載のリスト装置において、たとえば図１０、図１１に示すように、前記第２の緩衝部材（時計バンド１２、エンドピース９２）から前記装置本体ケースの裏面側に延びて当該装置本体ケースの裏面側を弾性的に支持する弾性支持部（リブ部１２ｃ、９２ｃ）は、前記装置本体ケースにねじ止めされていることを特徴とする。
【００２２】
請求項１０に記載の発明によれば、請求項１〜９に記載の発明の効果に加えて、弾性支持部が装置本体ケースにねじ止めされていることから、めくれ止めされていることになり、リスト装置に上方から強い衝撃が加えられた際に装置本体ケースが脱落することを防止できる。
【発明の効果】
【００２６】
請求項１に記載の発明によれば、外ケースと装置本体ケースとの間に第１の緩衝部材が介設されていることから、落下等により衝撃を受けても、第１の緩衝部材により衝撃が吸収・緩和されて、装置本体ケースに衝撃が伝わることを防止できる。
また、第２の緩衝部材の弾性支持部が装置本体ケースと第１の緩衝部材と外ケースを下方から支持していることから、下から加えられる衝撃についてはこの弾性支持部によって吸収・緩和されて、装置本体ケースが保護される。
さらに、外ケースと第１の緩衝部材と第２の緩衝部材のうちの少なくとも一つによって、装置本体ケースの上部縁部が被われ、かつ、第２の緩衝部材の弾性支持部によって装置本体ケースと第１の緩衝部材と外ケースが下方から支持されていることから、装置本体ケースは、第１の緩衝部材や外ケースに対してビス等により固定されなくても、上下方向に固定された状態となる。
したがって、装置本体ケース、第１の緩衝部材、外ケースを、および第２の緩衝部材組み付けるだけで、装置本体ケースが固定された状態で容易に組み立てることができる。
さらにまた、装置本体ケースに時刻を指示または表示する時計部が設けられているので、腕時計として使用することができる。
【００２７】
請求項２に記載の発明によれば、装置本体ケースが外部衝撃を受けた際に、その外部衝撃を緩衝するために装置本体ケースと外ケースとを相対的に移動可能に弾性支持する第２の緩衝部材を備えているので、外ケースに対する装置本体ケースの連結をフローティング構造とすることができる。このため、装置本体ケースと外ケースとをねじ等で剛体的に連結した場合と異なり、装置本体ケースが外部衝撃を受けた際に、その装置本体ケースに対する外的衝撃を効果的に緩衝することができる。
さらに、装置本体ケースに時刻を指示または表示する時計部が設けられているので、腕時計として使用することができる。
【００２８】
請求項６に記載の発明によれば、請求項１〜５に記載の発明の効果に加えて、装置本体ケースの上部縁部が第１の緩衝部材によって被われていることから、上から加えられる衝撃については第１の緩衝部材によって吸収・緩和されて、装置本体ケースが保護され、より一層耐衝撃性が向上する。
【００２９】
請求項７に記載の発明によれば、請求項１〜５に記載の発明の効果に加えて、装置本体ケースの上部縁部は外ケースによって被われていることから、装置本体ケースの側部から上部縁部にかけて外ケースの材質で作られているように見えるので、外ケースが金属製であったり表面に金属膜が形成されているものであると、リスト装置に高級感を付与することができる。
【００３０】
請求項８に記載の発明によれば、請求項１〜５に記載の発明の効果に加えて、第２の緩衝部材によって外ケースの側部が被われているので、側部からの衝撃は第２の緩衝部材によって緩衝され、耐衝撃性がより一層向上する。
【００３１】
請求項９に記載の発明によれば、請求項８に記載の発明の効果に加えて、第２の衝撃部材によって外ケースの側部とさらに装置本体ケースの上部縁部まで被われているので、側方のみならず上方からの衝撃についても、第２の衝撃部材によって緩衝され、耐衝撃性がより一層向上する。
【００３２】
請求項１０に記載の発明によれば、請求項１〜９に記載の発明の効果に加えて、弾性支持部が装置本体ケースにネジ止めされていることから、めくれ止めされていることになり、リスト装置に上方から強い衝撃が加えられた際に装置本体ケースが脱落することを防止できる。
【図面の簡単な説明】
【００３５】
【図１】本発明のリスト装置に係る第１の実施の形態例としての腕時計を示す斜視図である。
【図２】図１の腕時計の時計本体を示す図であり、（ａ）は正面図、（ｂ）は右側面図、（ｃ）は底面図である。
【図３】図１の腕時計の時計本体を示す図であり、（ａ）は上から見た平面図、（ｂ）は背面図、（ｃ）は左側面図である。
【図４】図１の腕時計を概略的に示したもので、（ａ）は側断面図、（ｂ）は時計本体と時計バンドの結合部分の背面図である。
【図５】本発明のリスト装置に係る第２の実施の形態例としての腕時計を概略的に示したもので、（ａ）は側断面図、（ｂ）は時計本体とエンドピースの結合部分の背面図である。
【図６】本発明のリスト装置に係る第３の実施の形態例としての腕時計を概略的に示したもので、（ａ）は側断面図、（ｂ）は時計本体と先カンカバーの結合部分の背面図である。
【図７】本発明のリスト装置に係る第４の実施の形態例としての腕時計の側断面図を概略的に示したものである。
【図８】本発明の第４の実施の形態例の変形例としての腕時計の側断面図を概略的に示したものである。
【図９】本発明のリスト装置に係る第５の実施の形態例としての腕時計の側断面図を概略的に示したものである。
【図１０】本発明のリスト装置に係る第６の実施の形態例としての腕時計を概略的に示したもので、（ａ）は側断面図、（ｂ）は時計本体と時計バンドの結合部分の背面図である。
【図１１】本発明のリスト装置に係る第７の実施の形態例としての腕時計の側面から見た様子を示したもので、左半分は断面図、右半分は平面図である。
【図１２】図１１の腕時計を示したもので、（ａ）は正面図、（ｂ）は（ａ）のＡ−Ａ線に沿った断面図である。
【図１３】本発明のリスト装置に係る第８の実施の形態例としての腕時計の一部断面図である。
【図１４】本発明の第８の実施の形態例の変形例としての腕時計の一部断面図である。
【発明を実施するための形態】
【００３６】
以下、この発明の実施の形態について、図面を参照しながら説明する。
【００３７】
＜第１の実施の形態例＞
本発明に係る第１の実施の形態例を図１〜図４に基づいて説明する。図１は、本発明のリスト装置の第１の実施の形態例としての腕時計１０を示す斜視図であり、この腕時計１０は、時計本体１１と時計バンド１２，１２とからなる。図２は時計本体１１のみを示す図であり、（ａ）は正面図、（ｂ）は右側面図、（ｃ）は底面図である。図３も同様であり、（ａ）は図２（ａ）の上方から見た平面図、（ｂ）は背面図、（ｃ）は左側面図である。さらに、図４（ａ）は腕時計１の側断面図の概略を示したもので、図４（ｂ）は、図４（ａ）における時計本体１１と時計バンド１２との結合部分の背面図を一方のみ示したものである。
【００３８】
時計本体１１は、図４に示すように、主に、断面視円形の箱体である時計ケース（装置本体ケース）１３と、この時計ケース１３の外側に設けられた内ベゼル（第１の緩衝部材）１４と、外ベゼル（外ケース）１５とからなる。時計ケース１３は、円筒形状の側部１３ａと、円盤型の透明なガラスカバー１９と、底蓋２０とからなる。側部１３ａと底蓋２０は、それぞれ、金属製あるいは樹脂製である。時計ケース１３の中には、液晶表示素子等からなり時刻等の表示を行う表示部やこれを制御・駆動する電子回路および電池等を含む電子モジュール１８が内蔵されている。電子モジュール１８の側方および下方には、緩衝ゴム２１，２１，２１が配設されており、外部から衝撃が加わったとしてもこの緩衝ゴム２１，２１，２１によってその衝撃が緩和され電子モジュール１８に直接伝わらないようになっている。そして、前記ガラスカバー１９を介して、前記表示部に表示される時刻等が透視できるようになっている。
【００３９】
時計本体１１の正面および側面には、図１〜図３に示すように、スイッチボタン１７が設けられ、これらスイッチボタン１７を操作することによって、前記電子モジュール１８が駆動され、表示状態や表示される情報を変更できるようになっている。
【００４０】
内ベゼル１４は、ウレタン等の軟質材料により環状に形成されており、図４に示すように、側部１３ａの外周面をほぼ被うように設けられている。この内ベゼル１４の上端部１４ａは、内側に向かって延出するように形成され、時計ケース１３の上部縁部を被った状態となっている。また、内ベゼル１４の上部外側には、周方向に沿って、外ベゼル１５の上端部１５ａによって係合される切欠き１４ｂが形成されている。
【００４１】
外ベゼル１５は、金属、セラミック、硬質樹脂等の硬質材料により前記内ベゼル１４より大きな径で環状に形成され、その上端部１５ａは内側に向かって突出し、内ベゼル１４の前記切欠き１４ｂに係合している。外ベゼル１５の下部には、外側に張り出し凹部１５ｂが形成された張り出し部１５ｄが、相対するように２個設けられている（図４（ｂ）では一方のみ図示）。図４（ｂ）に示すように、張り出し部１５ｄの凹部１５ｂを画成し互いに対向する面には、後述の結合部材２２が填め込まれる結合孔１５ｃ、１５ｃが設けられている。
【００４２】
時計バンド（リストバンド、第２の緩衝部材）１２，１２は、ウレタン等の軟質樹脂からなり、図４（ｂ）に示すように、全体としては外ベゼルの張り出し部１５ｄ，１５ｄの端の幅とほぼ同じ幅に形成されているが、端部１２ａ、１２ａは前記凹部１５ｂ，１５ｂの幅よりもわずかに細く形成されている。その端部１２ａ、１２ａには幅方向に貫通孔１２ｂ、１２ｂが形成されている。端部１２ａ，１２ａは、前記凹部１５ｂ、１５ｂにそれぞれ臨んでおり、この状態で、バネ棒やネジ等である結合部材２２，２２が、貫通孔１２ｂを挿通し、かつ、その両端が前記結合孔１５ｃ、１５ｃに係合することによって、時計バンド１２が外ベゼル１５に対して固定されるようになっている。また、時計バンド１２の各端部１２ａ，１２ａの下部から平板状のリブ部（弾性支持部）１２ｃが延出しており、このリブ部１２ｃは外ベゼル１５、内ベゼル１４、底蓋２０の下面に当接しこれらを支持した状態になっている。
【００４３】
以上の腕時計１０によれば、外側の外ベゼル１５と時計ケース１３との間に軟質材料からなる内ベゼル１４が介設されていることから、落下等により衝撃を受けても、内ベゼル１４により衝撃が吸収・緩和されて、時計ケース１３に衝撃が伝わることを防止できる。また、時計ケース１３の上部縁部を被った状態の内ベゼル１４の上端部１４ａや、外ベゼル１５、内ベゼル１４、底蓋２０を下方から支持する時計バンド１２のリブ部１２ｃ、１２ｃも緩衝機能を発揮し、上下方向からの衝撃に対しても、時計ケース１３が保護され、この点においても高い耐衝撃性が得られる。また、内ベゼル１４の上端部１４ａによって時計ケース１３の上部縁部が被われ、時計バンド１２のリブ部１２ｃが外ベゼル１５、内ベゼル１４、および時計ケース１３を支持していることから、時計ケース１３は、内ベゼル１４や外ベゼル１５に対してビス等によりリジッドに固定されてはないが、上下方向に固定された状態となる。言い換えれば、腕時計１０は、ビス等を用いなくても、時計ケース１３、内ベゼル１４、外ベゼル１５、および時計バンド１２、１２を組み付けるだけで、容易に組み立てることができる。
【００４４】
＜第２の実施の形態例＞
以下に、本発明に係る第２の実施の形態例を図５に基づいて説明する。図５には、本発明を適用した第２の実施の形態例としての腕時計３０を示した。図５において、３５は時計本体、３１はエンドピース、３２は時計バンド、３３は接続ピンである。腕時計３０において、第１の実施の形態例の腕時計１０と異なる点は、時計バンド３２がエンドピース３１を介して時計本体３５に取り付けられている点のみであって、時計本体３５の時計ケース１３，内ベゼル１４，外ベゼル１５の構成や材質は第１の実施の形態例と全く同様であるので、同符号を付して説明は省略する。なお、図５（ａ）は腕時計３０の側断面図の概略を示したもので、図５（ｂ）は、図５（ａ）における時計本体３５とエンドピース３１と時計バンド３２の結合部分の背面図を示したものである。
【００４５】
エンドピース（接続部材）３１，３１は、ウレタン等の軟質樹脂からなり、外ベゼル１５の前記張り出し部１５ｄに取り付けられ、時計本体３５と時計バンド３２，３２の間を接続するもので、図５（ｂ）に示すように平面視略矩形状に形成されている。エンドピース３１，３１の一方の端部３１ａ、３１ａには、それぞれ幅方向に貫通孔３１ｂ、３１ｂが形成されている。端部３１ａ，３１ａは、外ベゼル１５の凹部１５ｄ、１５ｄにそれぞれ臨んでおり、この状態で、結合部材２２，２２が貫通孔３１ｂ、３１ｂを挿通した状態で外ベゼル１５の結合孔１５ｃ、１５ｃに係合することによって、エンドピース３１，３１が外ベゼル１５に対して取り付けられるようになっている。また、各エンドピース３１の端部３１ａの下部からリブ部３１ｃが延出しており、これらリブ部３１ｃ、３１ｃは外ベゼル１５、内ベゼル１４、底蓋２０の下面に当接しこれらを支持した状態になっている。エンドピース３１，３１の他端部には、後述する接続ピン３３が挿通するためのピン孔３１ｄ、３１ｄが幅方向に形成されている。
【００４６】
時計バンド３２，３２は、外ベゼルの張り出し部１５ｄ，１５ｄの端の幅とほぼ同じ幅に形成されている。時計バンド３２，３２の材質は、ウレタン、皮等であり特に限定されない。各時計バンド３２の端部には、エンドピース３１とほぼ同じ幅でバンド凹部３２ａが形成されており、バンド凹部３２ａの両縁部にはピン孔３２ｂ、３２ｂが設けられている。バンド凹部３２ａにエンドピース３１の前記他端部が填め込まれた状態で、接続ピン３３がエンドピース３１のピン孔３１ｄを挿通し、かつ、時計バンド３２のピン孔３２ｂ、３２ｂに係合することによって、時計バンド３２はエンドピース３１に取り付けられている。
【００４７】
以上の腕時計３０によれば、外側の外ベゼル１５と時計ケース１３との間に軟質材料からなる内ベゼル１４が介設されていることから、落下等により衝撃を受けても、内ベゼル１４により衝撃が吸収・緩和されて、時計ケース１３に衝撃が伝わることを防止できる。また、内ベゼル１４の上端部１４ａや、エンドピース３１、３１のリブ部３１ｃ、３１ｃも緩衝機能を発揮し、上下方向からの衝撃に対しても、時計ケース１３が保護され、この点においても高い耐衝撃性が得られる。また、内ベゼル１４の上端部１４ａによって時計ケース１３の上部縁部が被われ、リブ部３１ｃが外ベゼル１５、内ベゼル１４、時計ケース１３を支持していることから、時計ケース１３は、内ベゼル１４や外ベゼル１５に対してビス等によりリジッドに固定された状態ではないが、上下方向に固定された状態となる。言い換えれば、腕時計３０は、ビス等を用いなくても、時計ケース１３、内ベゼル１４、外ベゼル１５、およびエンドピース３１，３１を組み付けるだけで、容易に組み立てることができる。
【００４８】
＜第３の実施の形態例＞
以下に、本発明に係る第３の実施の形態例を図６に基づいて説明する。図６には、本発明を適用した第３の実施の形態例としての腕時計４０を示した。図６において、４１は時計本体、４２は先カンカバー、４３は時計バンドである。腕時計４０において、第１の実施の形態例の腕時計１０と異なる点は、時計バンド４３が先カンカバー４２を通って時計本体３５に取り付けられている引き通しタイプであるという点のみであって、時計本体４１の時計ケース１３，内ベゼル１４，外ベゼル１５の構成や材質は第１の実施の形態例と全く同様であるので、同符号を付して説明は省略する。なお、図６（ａ）は腕時計４０の側断面図の概略を示したもので、図６（ｂ）は、図６（ａ）における時計本体４１と先カンカバー４２との結合部分の背面図を示したものである。
【００４９】
先カンカバー（接続部材）４２、４２は、ウレタン等の軟質樹脂からなり、外ベゼル１５の前記張り出し部１５ｄに取り付けられ、時計バンド４３を通すものである。図６（ｂ）に示すように、各先カンカバー４２には時計バンド４３を通すための開口４２ｄが設けられている。
【００５０】
各先カンカバー４２の一方の端部４２ａには、それぞれ幅方向に貫通孔４２ｂが形成されている。各端部４２ａは、外バゼル１５の凹部１５ｂにそれぞれ臨んでおり、この状態で、結合部材２２，２２が貫通孔４２ｂ、４２ｂを挿通し、かつ、外ベゼル１５の結合孔１５ｃ、１５ｃに係合することによって、先カンカバー４２、４２が外ベゼル１５に対して取り付けられるようになっている。また、各先カンカバー４２の端部４２ａの下部からリブ部４２ｃが延出しており、このリブ部４２ｃは外ベゼル１５、内ベゼル１４、時計ケース１３の下面に当接しこれらを支持する状態になっている。
【００５１】
時計バンド４３は、先カンカバー４２，４２の開口４２ｄ、４２ｄに通されることによって時計本体３５に取り付けられるようになっている。時計バンド４３の材質は特に限定されない。
【００５２】
以上の腕時計４０によれば、外側の外ベゼル１５と時計ケース１３との間に軟質材料からなる内ベゼル１４が介設されていることから、落下等により衝撃を受けても、内ベゼル１４により衝撃が吸収・緩和されて、時計ケース１３に衝撃が伝わることを防止できる。また、内ベゼル１４の上端部１４ａや、先カンカバー４２，４２のリブ部４２ｃ、４２ｃも緩衝機能を発揮し、上下方向からの衝撃に対しても、時計ケース１３が保護され、この点においても高い耐衝撃性が得られる。また、内ベゼル１４の上端部１４ａによって時計ケース１３の上部縁部が被われ、リブ部４２ｃが外ベゼル１５、内ベゼル１４、時計ケース１３を支持していることから、時計ケース１３は、内ベゼル１４や外ベゼル１５に対してビス等によりリジッドに固定された状態ではないが、上下方向に固定された状態となる。言い換えれば、腕時計４０は、時計ケース１３、内ベゼル１４、外ベゼル１５、および先カンカバー４２，４２を組み付けるだけで、容易に組み立てることができる。
【００５３】
＜第４の実施の形態例＞
以下に、本発明に係る第４の実施の形態例を図７に基づいて説明する。図７には、本発明を適用した第４の実施の形態例としての腕時計５０を示した。図７において、５１は時計本体、５２は時計バンド、５５は外ベゼルである。腕時計５０において、第１の実施の形態例の腕時計１０と異なる点は、外ベゼル５５に突出部５５ｂが形成され、時計バンド５２がこの突出部５５ｂを被っている点であって、時計ケース１３，内ベゼル１４の構成や材質は第１の実施の形態例と全く同様であるので、同符号を付して説明は省略する。なお、図７は腕時計５０の側断面図の概略を示したものである。
【００５４】
外ベゼル（外ケース）５５は、金属、セラミック、硬質樹脂等の硬質材料により内ベゼル１４より大きな径で環状に形成され、その上端部５５ａは内側に向かって突出しており、内ベゼル１４の切欠き１４ｂに係合している。外ベゼル５５には、２つの突出部５５ｂ、５５ｂが対向する位置に設けられている。一方、ウレタン等の軟質材料からなる時計バンド５２の端部は、図７に示すように、断面視において二股に分かれるような形状に形成され、二股を形成する上部５２ａと下部５２ｄによって、前記突出部５５ｂを挟み込んで被った状態となっている。
【００５５】
各下部５２ｄには幅方向に貫通孔５２ｂが形成されている。また、各下部５２ｄの側部は、前記突出部５５ｂの幅方向における両端から下方に延出する壁部（図７中の点線）によって挟まれた状態となっている。両壁部には図示しない結合孔が形成されており、結合部材２２が、下部５２ｄの貫通孔５２ｂを挿通し、かつ、その両端が前記壁部の結合孔に係合することによって、外ベゼル５５に対して時計バンド５２が取り付けられるようになっている。また、時計バンド５２の各下部５２ｄからリブ部５２ｃが延出しており、このリブ部５２ｃは外ベゼル５５、内ベゼル１４、時計ケース１３の下面に当接しこれらを支持する状態になっている。
【００５６】
以上の腕時計５０によれば、外側の外ベゼル５５と時計ケース１３との間に軟質材料からなる内ベゼル１４が介設されていることから、落下等により衝撃を受けても、内ベゼル１４により衝撃が吸収・緩和されて、時計ケース１３に衝撃が伝わることを防止できる。また、内ベゼル１４の上端部１４ａや、時計バンド５２のリブ部５２ｃも緩衝機能を発揮し、上下方向からの衝撃に対しても、時計ケース１３が保護され、この点においても高い耐衝撃性が得られる。さらに、ウレタン製の時計バンド５２の二股を形成する上部５２ａが外ベゼル５５の側部を被っている状態で、この上部５２ａも緩衝部材として機能するため、耐衝撃性がより一層向上する。
【００５７】
また、内ベゼル１４の上端部１４ａによって時計ケース１３の上部縁部が被われ、リブ部５２ｃが外ベゼル５５、内ベゼル１４、時計ケース１３を支持していることから、時計ケース１３は、内ベゼル１４や外ベゼル５５に対してビス等によりリジッドに固定された状態ではないが、上下方向に固定された状態となる。言い換えれば、腕時計５０は、時計ケース１３、内ベゼル１４、外ベゼル５５、および時計バンド５２を組み付けるだけで、容易に組み立てることができる。
【００５８】
（第４の実施の形態の変形例）
上記第４の実施の形態例では、時計バンドにより外ベゼルの一部を被う構成としたが、さらに図８に示すように時計バンドにより時計ケースの上部縁部まで被う構成としてもよい。図８には、本発明の第４の実施の形態例の変形例としての腕時計６０を示す。図８の腕時計６０において、図７の腕時計５０と異なる点は、時計バンドが外ベゼル、内ベゼル、さらには時計ケースの縁部まで被う構成である点のみであり、時計ケースやその内部構造については全く同様であるので同符号を付して説明は省略する。図８において、６１は時計本体、６２は時計バンド、６４は内ベゼル、６５は外ベゼルである。時計バンド６２、内ベゼル６４、外ベゼル６５の材質については腕時計５０と全く同様である。
【００５９】
内ベゼル（第１の緩衝部材）６４は環状であって、図８に示すように、その上端が時計ケース１３の側部１３ａよりも低くなるように形成されている。外ベゼル６５は、内ベゼル６４より大きな径で環状に形成され、その上端が内ベゼル６４の上端とほぼ同じ高さになっている。また、外ベゼル６５は、図７の外ベゼル５５同様に互いに対向する２つの突出部６５ｂ、６５ｂを有する。
【００６０】
時計バンド（リストバンド、第２の緩衝部材）６２は、図７の時計バンド５２同様に断面視において二股に分かれた形状に形成され、二股を形成する上部６２ａと下部６２ｄによって、突出部６５ｂを挟み込んで被った状態となっている上に、さらに先端部６２ｅが内ベゼル６４、時計ケース１３の上部縁部を被っている。時計バンド６２は、図７の腕時計５０同様に、時計バンド６２に形成された貫通孔６２ｂを挿通する結合部材２２を介して、外ベゼル６５に対して取り付けられている。
【００６１】
上記の腕時計６０によれば、腕時計５０同様の効果を有することは勿論のこと、時計バンド６２が、外ベゼル６５、内ベゼル６４、時計ケース１３の上部縁部まで被っているので、上方から衝撃が加えられても時計バンド６２によりその衝撃が吸収・緩和され、耐衝撃性がより一層高くなる。
【００６２】
＜第５の実施の形態例＞
以下に、本発明に係る第５の実施の形態例を図９に基づいて説明する。図９には、本発明を適用した第５の実施の形態例としての腕時計７０を示した。図９において、７１は時計本体、７２は時計バンド、７４は内ベゼル、７５は外ベゼルである。腕時計７０において、第１の実施の形態例の腕時計１０と異なる点は、外ベゼル７５が内ベゼル７４を被っている点であって、時計ケース１３については第１の実施の形態例と全く同様であるので、同符号を付して説明は省略する。また、時計バンド７２、内ベゼル７４、外ベゼル７５それぞれの材質については、第１の実施の形態例と全く同様である。
【００６３】
内ベゼル（第１の緩衝部材）７４は、時計ケース１３の側部１３ａをほぼ被うように設けられており、この内ベゼル７４の上端部７４ａは、内側に向かって延出するように形成され、時計ケース１３の上部縁部を被った状態となっている。外ベゼル（外ケース）７５は、内ベゼル７４より大きな径で環状に形成され、その上端部７５ａは、内ベゼル７４を完全に被った状態で時計ケース１３の上部縁部にまで達するように形成されている。外ベゼル７５の下部は、第１の実施の形態例の外ベゼル１５と全く同様に、結合孔を有する張り出し部７５ｄ、７５ｄが形成されている。
【００６４】
時計バンド（リストバンド、第２の緩衝部材）７２は、時計バンド１２と全く同様であり、端部７２ａに貫通孔７２ｂが形成され、この貫通孔７２ｂを挿通する結合部材２２を介して、外ベゼル７５の張り出し部７５ｄ、７５ｄに取り付けられている。また、時計バンド７２には、外ベゼル７５、内ベゼル７４、時計ケース１３の下面に当接しこれらを支持するリブ部（弾性支持部）７２ｃが形成されている。
【００６５】
上記腕時計７０によれば、第１の実施の形態例の腕時計１０同様の効果を有することが勿論のこと、外ベゼル７５が内ベゼル７４を完全に被い時計ケース１３の上部縁部まで及んでいることから、軟質材料からなる内ベゼル７４が外観上見えず、全体が硬質材料からなる外ベゼル７５の材質からなるように見えるので、外ベゼル７５が金属製であったり表面に金属膜が形成されているものであると、低コストで腕時計７０に高級感を持たすことができる。
【００６６】
＜第６の実施の形態例＞
以下に、本発明に係る第６の実施の形態例を図１０に基づいて説明する。図１０には、本発明を適用した第６の実施の形態例としての腕時計８０を示した。図１０において、８１は時計本体であり、２３はネジである。腕時計８０において、第１の実施の形態例の腕時計１０と異なる点は、時計バンド１２のリブ部１２ｃを２本のネジ２３，２３により固定している点のみであって、その他については第１の実施の形態例とほぼ同様であるので、各部材については同符号を付し、以下においては第１の実施の形態例と異なる点のみ説明する。なお、図１０（ａ）は腕時計８０の側断面図の概略を示したもので、図１０（ｂ）は、図１０（ａ）における時計本体８１と時計バンド１２との結合部分の背面図を示したものである。
【００６７】
図１０（ａ）の内ベゼル１４の下端部１４ｃは内側の厚みが薄くなるように形成されており、一方、時計ケース１３の側部１３ａの下端部１３ｂは、前記下端部１４ｃの内側に形成される空間に張り出すように外側に厚くなっている。時計本体８１の裏側においては、図１０（ｂ）に示すように、時計バンド１２の各リブ部１２ｃが時計ケース１３に対してネジ２３，２３によって固定されている。
【００６８】
以上の腕時計８０によれば、前記第１の実施の形態例における腕時計１０と同様の効果を有することは勿論のこと、各リブ１２ｃがネジ２３，２３によって時計ケース１３に対して固定されていることから、リブ部１２ｃがめくれにくくなり、ガラスカバー１９側より強い衝撃が加えられた際に時計ケース１３が脱落することを防止できる。
【００６９】
上記第１〜第６の実施の形態例で挙げた構成は、必ずしもそれぞれ単独で適用するものではなく、適宜組み合わせてもよい。次に、第２，第４，第６の実施の形態例を組み合わせた第７の実施の形態例について説明する。
【００７０】
＜第７の実施の形態例＞
図１１、図１２には、本発明を適用した第７の実施の形態例としての腕時計９０を示した。腕時計９０は、上記に述べた、第２、第４、および第６の実施の形態例を具体的に適用したものである。図１１は、腕時計９０の側面方向からの様子を左半分は断面図、右半分は平面図で示したもので、図１２（ａ）は正面図、図１２（ｂ）は（ａ）のＡ−Ａ線に沿った断面図である。図１１および図１２において、９１は緩衝ゴム、９２はエンドピース、９３は時計ケース、９４は内ベゼル、９５は外ベゼル、９６はネジ、９８は電子モジュール、９９はスイッチボタンであり、これら各部材の材質および機能は、第２、第４、第６の実施の形態例におけるものと全く同様である。
【００７１】
以下では、本発明に係わる腕時計９０の特徴について説明する。時計ケース９２は、側部９３ａ、ガラスカバー９７、底蓋１００とからなり、電子モジュール９８を内蔵する。内ベゼル（第１の緩衝部材）９３は、時計ケース９３の側部９３ａをほぼ被うように環状に形成されている。この内ベゼル９４の外側に設けられている外ベゼル９５は、図１１に示すように外側に突出する突出部９５ｂを有する。腕時計９０は、エンドピース（接続部材）９２，９２を介して、時計本体に対して時計バンド（図示せず）を取り付けるようになっている。エンドピース９２，９２は、図１１に示すように、断面視において二股に分かれる形状に形成されており、その上部９２ａと下部９２ｂとにより前記突出部９５ｂを挟んで被った状態となっている。各エンドピース９２には、第２の実施の形態例におけるエンドピース３１同様に、外ベゼル９５に取り付けるための貫通孔９２ｅ、および時計バンドを接続するためのピン孔９２ｄが形成されている。
【００７２】
また、各エンドピース９２のリブ部９２ｃは、前記第６の実施の形態例同様に、ネジ９６、９６（図１１ではそれぞれ一方のみ図示）によって、時計ケース９３を構成する底蓋１００に固定されている。なお、時計ケース９３、内ベゼル９４、外ベゼル９５は、いずれも環状に形成されているものであるが、高さ（図１１の上下方向）や断面視における形状は、図１１および図１２に示すように、場所によって適宜異なるように形成されている。
【００７３】
以上の腕時計９０によれば、第２の実施の形態例における腕時計３０同様の効果を有するのは勿論のこと、エンドピース９２，９２の上部９２ａ、９２ａが外ベゼル９５の一部を被っている状態で、この上部９２ａ、９２ａも緩衝部材として機能するため、耐衝撃性がより一層向上する。また、各リブ９２ｃがネジ９６、９６によって底蓋１００に固定されていることから、リブ部９２ｃがめくれにくくなり、ガラスカバー９７側より強い衝撃が加えられた際に時計ケース９３が脱落することを防止できる。
【００７４】
＜第８の実施の形態例＞図１３には、本発明の第８の実施の形態例としての腕時計１１０の一部断面図を示した。図１３において、１１３は時計ケース、１１４は内ベゼル、１１５は外ベゼル、１１６はビスである。時計ケース（装置本体ケース）１１３は、電子モジュール（図示省略）を内蔵するもので、円筒状の側部１１３ａとガラスカバー１１１と底蓋１１２とからなる。側部１１３ａと底蓋１１２はそれぞれ金属または硬質樹脂により形成されている。側部１１３ａには、周方向に沿って３カ所以上に、凹部１１３ａが形成されている。
【００７５】
内ベゼル（緩衝部材）１１４は、ウレタン等の軟質材料により環状に形成され、図１３に示すように側部１１３ａをほぼ被うように設けられている。内ベゼル１１４には、前記凹部１１３ａに対応するように凸部１１４ａが形成され、凹部１１３ａに凸部１１４ａが填め込まれている。凸部１１４ａには、係合穴１１４ｂが形成されている。外ベゼル（外ケース）１１５は、金属、セラミック、硬質樹脂等の硬質材料により内ベゼル１１４より大きな径で環状に形成され、その上端部１１５ｂは、内ベゼル１１４を被うように形成されている。外ベゼル１１５には、内ベゼル１１４の前記凸部１１４ａに対応する箇所にビス穴１１５ａが形成されており、該ビス穴１１５ａを介して前記係合穴１１４ｂにビス１１６を填め込むことによって、外ベゼル１１５は内ベゼル１１４に対して固定されている。
【００７６】
以上の腕時計１１０によれば、外側の外ベゼル１１５と時計ケース１１３との間に軟質材料からなる内ベゼル１１４が介設されていることから、外ベゼル１１５を固定するビス１１６が内ベゼル１１４内にあって、落下等で衝撃を受けても、内ベゼル１１４により衝撃が吸収・緩和されて、時計ケース１１３に衝撃が伝わることを防止できる。また、ビス１１６が填め込まれている内ベゼル１１４の凸部１１４ａが、時計ケース１１３の凹部１１３ａに填め込まれた状態で、ビス１１６が凹部１１３ａが形成されている深さにまで達していることから、外ベゼル１１５が強固に固定される。
【００７７】
さらに、外ベゼル１１５が内ベゼル１１４を完全に被っていることから、軟質材料からなる内ベゼル１１４が外観上見えず、全体が硬質材料からなる外ベゼル１１５の材質からなるように見えるので、外ベゼル１１５が金属製であったり表面に金属膜が形成されているものであると、低コストで腕時計１１０に高級感を持たすことができる。
【００７８】
（第８の実施の形態例の変形例）
図１４には、上記第８の実施の形態例の変形例として腕時計１２０の一部断面図を示した。図１４において、１２３は時計ケース、１２４は内ベゼル、１２５は外ベゼル、１２６はビスである。時計ケース（装置本体ケース）１２３は、電子モジュール（図示省略）を内蔵するもので、円筒状の側部１２３ａとガラスカバー１２１と底蓋１２２とからなる。側部１２３ａと底蓋１２２はそれぞれ金属または硬質樹脂により形成されている。側部１２３ａには、周方向に沿って３カ所以上に、ビス１２６が係合する係合穴１２３ａが形成されている。
【００７９】
内ベゼル（緩衝部材）１２４は、ウレタン等の軟質材料により環状に形成され、図１４に示すように時計ケース１２３の側部１２３ａをほぼ被うように設けられている。内ベゼル１２４には、前記係合穴１２３ａに対応する箇所に、ビス１２６が挿通するための挿通孔を有する突出部１２４ａが設けられている。外ベゼル（外ケース）１２５は、金属、セラミック、硬質樹脂等の硬質材料により内ベゼル１２４よりも大きな径で環状に形成され、その上端部１２５ｂは、内ベゼル１２４を被うように形成されている。外ベゼル１２５には、内ベゼル１２４の前記突出部１２４ａに対応する箇所に係合穴１２５ａが形成されており、突出部１２４ａを係合穴１２５ａに填め込むことによって、内ベゼル１２４に対して外ベゼル１２５が固定される。そして、前記突出部１２４ａの挿通孔を介してビス１２６を係合穴１２３ａに填め込むことによって、外ベゼル１２５および内ベゼル１２４は、時計ケース１２３の側部１２３ａに対して固定される。
【００８０】
以上の腕時計１２０によれば、外側の外ベゼル１２５と時計ケース１２３との間に軟質材料からなる内ベゼル１２４が介設され、外ベゼル１２５を時計ケース１２３に対して固定するビス１２６が内ベゼル１２４を挿通した状態であることから、落下等により衝撃を受けても、内ベゼル１２４により衝撃が吸収・緩和されて、時計ケース１２３に伝わる衝撃を小さくすることができる。さらに、外ベゼル１２５が内ベゼル１２４を完全に被っていることから、軟質材料からなる内ベゼル１２４が外観上見えず、全体が硬質材料からなる外ベゼル１２５の材質からなるように見えるので、外ベゼル１２５が金属製であったり表面に金属膜が形成されているものであると、低コストで腕時計１２０に高級感を持たすことができる。
【００８１】
前記第８の実施の形態例および変形例においては、前記第１〜第７の実施の形態例のように、外ベゼルに時計バンド、エンドピース、あるいは先カンカバーを取り付けて、さらに耐衝撃性を高めるような構造としてもよい。
【００８２】
なお、本発明は上記実施の形態例１〜８に限定されることはなく、適宜変更可能であることは勿論である。たとえば、第７の実施の形態例において、第２、第４、第６の実施の形態例を組み合わせた例について挙げたが、他の実施例を組み合わせてもよい。
【符号の説明】
【００８３】
１０，３０，４０，５０，６０，７０，８０，９０ 腕時計（リスト装置）
１１０，１２０ 腕時計（リスト装置）
１３，９３，１１３，１２３ 時計ケース（装置本体ケース）
１４，６４，７４，９４ 内ベゼル（第１の緩衝部材）
１１４，１２４ 内ベゼル（緩衝部材）
１５，５５，６５，７５，９５，１１５，１２５ 外ベゼル（外ケース）
１２，５２，６２，７２，９２ 時計バンド（第２の緩衝部材、リストバンド）
１２ｃ，５２ｃ，６２ｃ，７２ｃ，９２ｃ リブ部（弾性支持部）
３１，９２ エンドピース（第２の緩衝部材、接続部材）
２３，９６ ネジ
３１ｃ，９２ｃ リブ部（弾性支持部）
４２ 先カンカバー（第２の緩衝部材、接続部材）
４２ｃ リブ部（弾性支持部）
１１６、１２６ ビス
【図１】
0004640522.tif 000002
【図２】
0004640522.tif 000003
【図３】
0004640522.tif 000004
【図４】
0004640522.tif 000005
【図５】
0004640522.tif 000006
【図６】
0004640522.tif 000007
【図７】
0004640522.tif 000008
【図８】
0004640522.tif 000009
【図９】
0004640522.tif 000010
【図１０】
0004640522.tif 000011
【図１１】
0004640522.tif 000012
【図１２】
0004640522.tif 000013
【図１３】
0004640522.tif 000014
【図１４】
0004640522.tif 000015